(57)【要約】【課題】  種々の作業用具に取り付け可能であり、作業に合わせて握り部や柄が回転や摺動をして、作業を容易にする握り部用アダプタを提供する。【解決手段】  作業用具の棒状の握り部２６を着脱可能に覆う、円筒形の本体１１を有する。本体１１は、握り部２６との間に僅かな隙間を有し、握り部２６に対して移動可能で、円筒形を長手方向に二分割された本体パーツ１２から成る。本体パーツ１２の一方には係合突起１６が設けられ、他方には係合突起１６を差し込んで係止する係合凹部１８を備える。本体１１の内周面は、摩擦抵抗が小さい疎面に形成されている。【選択図】図１
2006144237.tif 000002
【特許請求の範囲】
【請求項１】
作業用具の棒状の握り部を着脱可能に覆う円筒形の本体が分割されて設けられ、前記本体は、前記握り部との間に僅かな隙間を有し、前記握り部に対して移動可能であることを特徴とする握り部用アダプタ。
【請求項２】
前記本体は円筒形を長手方向に二分割された本体パーツから成り、前記本体パーツの一方には係合突起が設けられ、他方には前記係合突起を差し込んで係止する係合凹部が設けられていることを特徴とする請求項１記載の握り部用アダプタ。
【請求項３】
前記本体の内周面に形成された筒形凹部と、前記筒形凹部の底部に入れられたバネと、前記筒形凹部の開口部に入れられ前記バネにより付勢され一部が前記筒形凹部から突出する球体が設けられ、前記球体が前記作業用具の握り部に当接することを特徴とする請求項１または２記載の握り部用アダプタ。
【請求項４】
前記本体パーツは、ヒンジ部材を介して連結されていることを特徴とする請求項２または３記載の握り部用アダプタ。
【請求項５】
前記本体の内周面は、摩擦抵抗が小さい疎面に形成されていることを特徴とする請求項１，２，３または４記載の握り部用アダプタ。
【発明の詳細な説明】
【技術分野】
【０００１】
この発明は、土木作業等に用いられるショベル等の各種作業用具の握り部に取り付けて作業を容易にする握り部用アダプタに関する。
【背景技術】
【０００２】
従来、土木作業に用いられるショベルは、板状の刃床と、刃床に取り付けられた棒状の柄と、この柄の先端に設けられこの柄に対してほぼ直角に位置する握り部が設けられている。このようなショベルを使用するときは、一方の手で刃床近くの柄を支持し、他方の手で握り部を保持して、刃床で土砂等をすくったり、すくったものを若干離れたところへ投げたりして用いている。このショベルを使って土砂等をすくったり投げたりするときは、手や腕を振って振り子運動をするようにショベルを動かすことになる。このとき、ショベルの握り部を握る手は、ショベルが動くたびに手首の角度を変えてショベルの動きに追従する必要がある。よって、作業中に手首を曲げる動きが加わるため、むだな動きとなって手首に負担をかけるだけでなく、疲労につながることがあった。そこで、ショベルの握り部を回転可能として作業を容易にするショベルが、以下の特許文献１，２に開示されている。
【特許文献１】特開平６−３０６０１号公報
【特許文献２】特開平９−２７９６２１号公報
【発明の開示】
【発明が解決しようとする課題】
【０００３】
上記従来の技術の場合、いずれもショベルの円柱状の握り部が、軸方向に回転可能に設けられたものであるが、専用の握り部を予め設けたもので、既存のショベル等に取り付けることができるものではなく、取り外したりすることもできなかった。また、他の作業用具の柄や握り部に取り付けて、柄や握り部を回転可能にすることができるものでもない。
【０００４】
この発明は、上記従来の技術の問題点に鑑みてなされたものであり、種々の作業用具に取り付け可能であり、作業に合わせて握り部や柄が回転や摺動をして、作業を容易にする握り部用アダプタを提供することを目的とする。
【課題を解決するための手段】
【０００５】
本発明は、作業用具の棒状の握り部を着脱可能に覆う円筒形の本体が分割されて設けられ、前記本体は、前記握り部との間に僅かな隙間を有し、前記握り部に対して移動可能である握り部用アダプタである。前記本体は、円筒形を長手方向に二分割された本体パーツから成り、前記本体パーツの一方には係合突起が設けられ、他方には前記係合突起を差し込んで係止する係合凹部が設けられている。
【０００６】
さらに、前記本体の内周面に形成された筒形凹部と、前記筒形凹部の底部に入れられたバネと、前記筒形凹部の開口部に入れられ前記バネにより付勢され一部が前記筒形凹部から突出する球体が設けられ、前記球体が前記作業用具の握り部に当接する握り部用アダプタである。
【０００７】
また、前記本体パーツは、ヒンジ部材を介して連結されているものでも良い。前記本体の内周面は、摩擦抵抗が小さい疎面に形成されている。
【発明の効果】
【０００８】
本発明の握り部用アダプタは、スコップやその他のショベル、鍬、つるはし、除雪具等の種々の作業用具の握り部に自由に着脱可能であり、作業用具の握り部を簡単に回転や摺動等の移動可能とすることができる。そして、握り部用アダプタを手で保持して、動作に合わせて回転可能であるため、作業効率を向上させ、作業者の疲労を抑えることができるものである。
【発明を実施するための最良の形態】
【０００９】
以下、この発明の実施形態について図面に基づいて説明する。図１〜図３はこの発明の一実施形態を示すもので、この実施形態の握り部用アダプタ１０は、作業用具であるショベル２０の棒状の握り部２６を覆う円筒状の本体１１が設けられ、本体１１は、合成樹脂で一体成形され、強い力が加えられると僅かに弾性変形可能に作られている。
【００１０】
本体１１は、本体１１の長手方向に沿って半円の筒体に二分割された本体パーツ１２から成る。本体パーツ１２の長手方向の両端部には、湾曲した側面１２ａの外側に突出するフランジ部１４が一体に設けられている。本体パーツ１２の、分割面である一方の端面１２ｂには、端面１２ｂに対してほぼ直角に突出する係合突起１６が２個設けられている。係合突起１６は、図３に示すように先端部１６ａが球状に膨出して形成されている。本体パーツ１２の、分割面である他方の端面１２ｃには、係合突起１６が嵌合されて係止される係合凹部１８が設けられている。係合凹部１８は、開口部付近は係合突起１６の先端部１６ａよりも僅かに径が小さい小径部１８ａであり、底部分は係合突起１６の先端部１６ａよりも径が大きい球状に形成された大径部１８ｂとなっている。
【００１１】
握り部用アダプタ１０の本体１１の内径は、取り付ける作業用具の部位に、僅かな隙間を有して覆う大きさに設定されている。本体１１の内周面は、作業用具に接する面積を少なくして摩擦が低くなるように疎面１９に形成されても良い。逆に、回転を円滑にするために平滑に形成しても良い。
【００１２】
次に、握り部用アダプタ１０の使用方法を説明する。なお、ここで握り部用アダプタ１０が取り付けられる作業用具は土木作業に使用されるショベル２０であり、ショベル２０には、板状の刃床２２と、刃床２２に取り付けられた棒状の柄２４と、柄２４の先端に設けられ柄２４に対してほぼ直角に位置する握り部２６とが設けられている。そして、ショベル２０の、握り部２６と、柄２４の任意の位置に、握り部用アダプタ１０をそれぞれ取り付ける。
【００１３】
握り部用アダプタ１０の取付方法は、まず、一対の本体パーツ１２を端面１２ｂが他方の本体パーツ１２の端面１２ｃに対向するように向け、一対の本体パーツ１２の間に握り部２６または柄２４を入れて一対の本体パーツ１２を連結する。このとき、一方の本体パーツ１２の係合突起１６が、他方の本体パーツ１２の係合凹部１８に差し込まれ、係止される。係合突起１６が係合凹部１８に差し込まれるとき、係合突起１６の先端部１６ａまたは係合凹部１８の小径部１８ａが僅かに弾性変形して通過し、入りきったところで元の形状に復元して確実に係止され、連結される。
【００１４】
ショベル２０を使用するときは、一方の手で柄２４に取り付けられた握り部用アダプタ１０を握り、他方の手で握り部２６に取り付けられた握り部用アダプタ１０を握り、ショベル２０を保持する。そして、刃床２２で土砂等をすくったり運搬したり、すくったものを若干離れたところへ投げたりして用いる。このとき、握り部用アダプタ１０は、強く握ると弾性変形してショベル２０に密着し、固定される。しかし、握る力を弱くすると、握り部用アダプタ１０は、弾性変形が元に戻り、回転可能で、摺動可能となる。
【００１５】
ショベル２０の握り部２６を握る手は、従来ショベル２０が動くたびに手首の角度を変えてショベル２０の動きに追従する必要があるが、握り部用アダプタ１０が回転することにより握り替えることなく、角度が変わる。一方、力を入れる作業のときは、握り部用アダプタ１０を強く握り、回転不可能となり、力を確実にショベル２０に伝える。そして、ショベル２０の柄２４を握る手は、従来ショベル２０にのせたものを投げる作業等のときに握る位置を変えてショベル２０の動きに追従させる必要があるが、握り部用アダプタ１０が柄２４に沿って摺動することにより、握り替えることなく、保持位置が変わる。
【００１６】
この実施形態の握り部用アダプタ１０によれば、簡単な構造で種々の作業用具の握り部や柄に簡単に取り付けて、作業を容易にすることができる。ショベル２０の動きに合わせて手首を曲げたり保持位置を変えたりするというアンバランスな動作を要せず、両手を棒状にして振るだけで、物をすくったり投げたりすることができる。両手は単純でほぼ同じ動きをして、片方の手や腕に負担が集中することもなく、疲労を極端に少なくすることができる。また、ショベル２０の扱いに不慣れな人にでも、手にマメを作ったり皮がむけることが無く、簡単に作業をすることができる。さらに、手首を曲げたり握り位置を変えたりすることなく、しっかりとショベル２０を保持することができるため、作業中に手を滑らせることも少なく安全である。本体１１の両端部にはフランジ部１４が取り付けられているため、手が横滑りすることを防ぎ、安全である。また、握り部用アダプタ１０は、同形の一対の本体パーツ１２で作られるため、製造や部品管理が容易で、コストがかからないものである。しかも、係合突起１６と係合凹部１８は、簡単な構造で確実に係止され連結することができる。本体パーツ１２の内周面には疎面１９が形成されているため、握り部２６や柄２４に密着せず、円滑に回転や摺動が行われる。
【００１７】
なお、この発明の握り部用アダプタ１０は、図４、図５に示すように、本体パーツ１２の内周面に筒形凹部３０が設けられ、突没可能な球体２８が設けられても良い。筒形凹部３０は、本体パーツ１２の内周面に、円周方向に沿って８列、長手方向に沿って５個、互いに等間隔に取り付けられている。筒形凹部３０の底部にはコイルバネ３２が入れられ、筒形凹部３０の開口部側には球体２８が入れられている。そして、本体パーツ１２の内周面には、内周面の曲面に沿う板部材３６が取り付けられ、板部材３６の筒形凹部３０に対向する部分には開口部３４が形成されている。開口部３４は、球体２８の直径よりも小さく形成され、開口部３４の内周面は、球体２８の側面に沿うように傾斜している。そして、球体２８の一部は開口部３４から突出し、球体２８全体は外側に外れずに板部材３６により押さえられている。
【００１８】
このように球体２８が設けられていることにより、握り部用アダプタ１０の本体１１の内径と作業用具の径との差が大きくて隙間が生じてしまう場合でも、球体２８が作業用具に当接して回転を抑えることができる。また、作業用具の径に合わせて、球体２８が作業用具に押し込まれてコイルバネ３２が弾性変形するため、いろいろな径の作業用具に対応することができ、また形状が樽形等で径が一定でない柄や握り部にも、使用することができる。なお、本体パーツ１２の内周面に、疎面１９と球体２８が両方設けられても良い。
【００１９】
この発明の握り部用アダプタは、上記実施の形態に限定されるものではなく、適宜変更可能である。例えば作業用具の柄や握り部は、長手方向の中間付近の径が大きい樽型に形成されたものがあるが、このような形状の柄や握り部用の握り部用アダプタは、内径が長手方向の中間付近がえぐれた形状にすればよい。係合突起と係合凹部の形状は、互いに着脱可能なもので確実に係合状態を維持するものであれば、自由に変更可能である。また、握り部用アダプタは弾力性に富んだ樹脂等で設けても良く、この場合は内周面が作業用具に対して円滑に滑るような処理が施されれば良い。本体パーツ１２は、本体１１を二等分割したもの以外でもよく、不均衡に分割されたり、三分割されたりしたものでも良い。一対の本体パーツは、ヒンジ部材を介して連結されても良い。
【００２０】
また、一対の本体パーツの間にクッション材のバネを入れてもよく、この場合はバネにより握り部用アダプタの内径を変更することができるため、本体を硬質の合成樹脂等、弾性変形をしない材料で作っても良い。握り部用アダプタを取り付ける作業用具は、ショベル以外に、鍬、ハンマー、除雪用具等いろいろなものに使用可能であり、鍬やハンマーの場合は、棒状の柄の端部に抜け止めを取り付けると良い。また、この柄の二箇所に取り付け、上方の握り部用アダプタは、摺動不可能で回転可能とし、下方の握り部用アダプタは、摺動可能で回転可能としても良い。
【図面の簡単な説明】
【００２１】
【図１】この発明の一実施形態の握り部用アダプタの斜視図である。
【図２】この実施形態の握り部用アダプタの本体パーツの斜視図である。
【図３】この実施形態の握り部用アダプタの係合突起と係合凹部の部分拡大縦断面図である。
【図４】この実施形態の握り部用アダプタの変形例を示す正面図である。
【図５】図４の筒形凹部の部分拡大縦断面図である。
【符号の説明】
【００２２】
１０  握り部用アダプタ
１１  本体
１２  本体パーツ
１４  フランジ部
１６  係合突起
１８  係合凹部
１９  疎面
２０  ショベル
２４  柄
２６  握り部
【図１】
2006144237.tif 000003
【図２】
2006144237.tif 000004
【図３】
2006144237.tif 000005
【図４】
2006144237.tif 000006
【図５】
2006144237.tif 000007